(57)【要約】      （修正有）【課題】幼児用洋式便器用便座を幼児が安全に不快感なく使用でき、管理者の負担が少なく、経済的にも有利な便座カバーを提供する。【解決手段】幼児用洋式便器用便座に着脱自在に装着される可とう性の便座カバー１１であって、上方から被せ設置可能な形状で、前記被せ状態で少なくとも前記便座の側面まで覆う略湾曲断面形状を有し、内部構造として微細な独立気泡構造１８を有し、座面表面に微細な凹凸１９を有する特徴とする便座カバー。【選択図】図１
0003143864.tif 000002
【実用新案登録請求の範囲】
【請求項１】
幼児用洋式便器用便座に着脱自在に装着される可とう性の便座カバーであって、
上方から被せ設置可能な形状で、
前記被せ状態で少なくとも前記便座の側面まで覆う略湾曲断面形状を有し、
内部構造として微細な独立気泡構造を有し、
座面表面に微細な凹凸を有することを特徴とする便座カバー。
【請求項２】
前記便座への被せ状態おける上面部の厚みが３〜１５ｍｍであることを特徴とする請求項１に記載の便座カバー。
【請求項３】
前記微細な凹凸が布目状であることを特徴とする請求項１又は２に記載の便座カバー。
【請求項４】
前記着脱自在に装着する手段として、被せ状態における前記便座の上面に対向する面に面ファスナーが設けられたことを特徴とする請求項１〜３のいずれか１項に記載の便座カバー。
【請求項５】
被せ状態における前記便座の上面に対向する面に、前記面ファスナーの厚みと実質的に同一の深さの窪み部が設けられ、前記面ファスナーが前記窪み部に嵌めこみ設置されたことを特徴とする請求項４に記載の便座カバー。
【考案の詳細な説明】
【技術分野】
【０００１】
本考案は、幼児用の洋式便器の便座に使用する便座カバーに関する。
【背景技術】
【０００２】
従来から、幼稚園・保育園等の児童教育施設に設置されている幼児用洋式便器は幼児が使用する際、直接触れる便座部分について、何も対策を用いない場合は、汗等によるべたつき感、冬場の低温化による冷たさにより、幼児に不快感を与える。そのため、自宅において順調なトイレトレーニングが、児童教育施設においては不調になる場合があるという問題があった。一方、児童教育施設の全ての便器に暖房付き便座を装備することは経済的にも困難である上、幼児自身が操作することはできず、有効に機能しないと考えられるため、児童教育施設には設置されていないのが現状である。
【０００３】
一般の大人用の洋式便器用便座についてべとつき感の無い座り心地を得るために柔軟性を有する吸排気層を備えた便座カバー（特許文献１）や便座との接触面に多数の短柱状突子を配設した便座カバー（特許文献２）が考えられているが、幼児用の洋式便器用便座についての対策はほとんど検討されていない。
【０００４】
そこで、児童教育施設においては、便座のべたつき感を防いで肌触りを良くし、冬場の冷たさを解消するために、パイル地等の布地製便座カバーや使い捨てタイプの発泡樹脂製シート等を装着している。
【０００５】
【特許文献１】特開２００７−２２９３８８号公報
【特許文献２】特開平１１−３１８７６４号公報
【考案の開示】
【考案が解決しようとする課題】
【０００６】
しかし、児童教育施設では洋式便器が幼児によって頻繁に使用されるため、便座カバーの汚れる頻度は高く、布地製便座カバーは簡単に汚れが落ちず、頻繁に洗濯をするなど、管理者の負担が大きい。また、使い捨てタイプの発泡樹脂製シートは耐久性に劣り、幼児が使用中にずれたり、すぐに剥がれる場合があり、安全性及び快適性が十分ではなかった。上記特許文献に示された技術等による一般の大人用の洋式便器用便座に対する対策も幼児用洋式便器用便座にはそのまま適用できるものではない。
【０００７】
本考案はこのような事情に鑑みてなされたものであり、その目的は、幼児用洋式便器用便座を幼児が安全に不快感なく使用でき、管理者の負担が少なく、経済的にも有利な便座カバーを提供することにある。
【課題を解決するための手段】
【０００８】
上記課題を解決するため、請求項１に係る考案は、  幼児用洋式便器用便座に着脱自在に装着される可とう性の便座カバーであって、上方から被せ設置可能な形状で、前記被せ状態で少なくとも前記便座の側面まで覆う略湾曲断面形状を有し、内部構造として微細な独立気泡構造を有し、座面表面に微細な凹凸を有することを特徴とする。
【０００９】
上記のように、可とう性の便座カバーが上方から被せ設置可能な形状で、被せ状態で少なくとも前記便座の側面まで覆う略湾曲断面形状を有していることで、使用時に便座からずれることがなく、幼児が安全に使用できる。また、内部構造として微細な独立気泡構造を有することで、断熱性により冬場の使用時の冷たさを防ぐことができ、ソフト感により便座接触時の不快感を低減できる。また、独立気泡構造とすることで、一部に傷が付いた場合であっても、水に濡れた際に水分が内部まで浸透しないようにできる。従って、汚れて水洗いした場合でも水分を拭き取るだけで、すぐに使用することができる。更に、座面表面に微細な凹凸を有することで、座面と肌との接触面に微細な空間が生じ、汗等によるべたつき感を低減でき、幼児が不快感なく使用することができる。
【００１０】
請求項２に係る考案は、請求項１に記載の便座カバーにおいて、前記便座への被せ状態おける上面部の厚みが３〜１５ｍｍであることを特徴とする。これにより、断熱性及びソフト感を確保し、実用的に十分な強度を維持すると共に、幼児用洋式便器では特に重要となる、床から座面までの高さの増大を防ぐことができる。
【００１１】
請求項３に係る考案は、請求項１又は２に記載の便座カバーにおいて、前記微細な凹凸が布目状であることを特徴とする。これにより、使用時の肌触りが布地様となり、心地良い接触感が得られ、べたつき感をより低減することができる。
【００１２】
請求項４に係る考案は、請求項１〜３のいずれか１項に記載の便座カバーにおいて、前記着脱自在に装着する手段として、被せ状態における前記便座の上面に対向する面に面ファスナーが設けられたことを特徴とする。これにより、便座カバーの便座への装着状態を安定させることができるので、使用時に外れたりすることがなく、幼児がより安全に使用することができる。
【００１３】
請求項５に係る考案は、請求項４に記載の便座カバーにおいて、被せ状態における前記便座の上面に対向する面に、前記面ファスナーの厚みと実質的に同一の深さの窪み部が設けられ、前記面ファスナーが前記窪み部に嵌めこみ設置されたことを特徴とする。これにより、被せ状態における前記便座の上面に対向する面を構成する便座カバーの裏面において、面ファスナー部分が突出しないようにすることができる。従って、便座カバーの裏面は面ファスナーが設けられても、平坦にたもたれるので、便座カバーの裏面がほぼ一様に便座に接面するため、便座カバーをより安定して装着することができる。
【考案の効果】
【００１４】
本考案に係る幼児用洋式便器用便座の便座カバーによれば、使用時に便座からずれることがなく、汗等によるべたつき感や冬場の冷たさを防ぎ、幼児が安全に不快感なく使用できるので、トイレトレーニングが児童教育施設において不調になることを防ぐことができる。また、汚れた場合の拭き取りや水洗い等の管理も容易なので、管理者の負担を軽減することができる。また、構造的に単純であるので、大量生産に向き、経済的にも有利である。
【考案を実施するための最良の形態】
【００１５】
（第１の実施の形態）
以下、本考案の幼児用洋式大便器用便座の便座カバーの第１の実施の形態について、図面を参照して詳細に説明する。図１（Ａ）及び（Ｂ）は本考案の便座カバーの第１の実施の形態を示しており、同図（Ａ）には便座カバーの平面図とともに、それぞれ破線で示した位置におけるカバーの断面図を示し、同図（Ｂ）は便座カバーの底面図を示す。
【００１６】
図１（Ａ）に示すように、本実施の形態における便座カバー１１は平面視略Ｏ字形である。これは適用する便座の形状に応じて成形されるもので、例えば、便座が馬蹄形であれば、馬蹄形とすることができる。便座カバー１１の前方部１２、右方部１３、左方部１４（断面図は示していないが、右方部１３と同様である）は、それぞれの断面図に示すように、便座への被せ状態おける上面部を構成する座面部１６と座面部１６の両縁から設置状態で下方に延在する側部１７で構成される略湾曲断面形状を示す。なお、湾曲断面形状は便座カバー１１が便座への被せ状態で安定する形状であれば良い。好ましくは、側部１７の内側の部分に便座が嵌り、座面部１６の裏面が便座に実質的に接面するように、便座の形状に応じて便座カバーの湾曲断面形状が調整される。側部１７の高さは便座と便座カバーがずれないように所定の高さを有していれば、便座の厚さに応じて適宜設定することができる。
【００１７】
また、便座の蝶番部にあたる後方部１５は、便座が開閉する際に邪魔になることを防ぐため、断面図に示すように側部１７の一方が無い湾曲断面形状を示す。
【００１８】
座面部１６の厚みＤ１は本考案の効果を発揮する厚みであれば良く、適宜設定することができる。断熱性及びソフト感を確保し、実用的に十分な強度を維持すると共に、幼児用洋式便器では特に重要となる床から座面までの高さの増大を防ぐためには、厚みＤ１は３〜１５ｍｍが好ましく、さらには５〜１０ｍｍが好ましい。
【００１９】
また、図示のように、本実施の形態に係る便座カバー１１には内部構造として微細な独立気泡構造１８を有する。これにより高い断熱性と接触時のソフト感を得ることができ、更に、一部に傷が付いたり破れたりした場合であっても、水に濡れた際に水分が内部まで浸透しないように防水性を確保できる。便座カバー１１の内部構造は本考案の効果を発揮する程度に独立気泡構造１８を有していれば良く、部分的に連続気泡構造があっても良い。独立気泡構造とするために、本考案の便座カバーの材質には例えば、エチレン・酢酸ビニル共重合体（ＥＶＡ）、ゴム類、ポリエチレン、ポリ塩化ビニル、ポリプロピレン、ポリスチレン、ＡＢＳ樹脂等及びこれらの混合物を使用することができる。柔軟性、耐久性に優れる点で、ＥＶＡとゴム類の混合物を使用するのが好ましい。独立気泡構造の形成は常法により行うことができる。例えば、樹脂原料に発泡剤を混合し金型に入れ、金型内で加熱し、発泡剤の熱分解によって気体を発生させることで形成することができる。
【００２０】
また、図示のように、本考案の便座カバーの座面表面には微細な凹凸１９を有する。凹凸１９は一般にシボと言われ、布目、岩目、砂目、皮革模様、なし地模様、幾何学模様等のパターンがある。このような凹凸１９を有することで、座面と肌との接触面に微細な空間が生じ、汗等によるべたつき感を低減でき、幼児が不快感なく使用することができる。特に、布地様の肌触りで、心地良い接触感が得られ、べたつき感をより低減するため、凹凸１９は布目が好ましい。
【００２１】
凹凸１９は、例えば、金型成型用の金型にエッチング処理等の化学的処理やサンドブラスト等の物理的処理を施すか、成形時に布等の模様材料を金型に張り付けて行うことで形成することができる。
【００２２】
図１（Ｂ）に示すように、図１に係る本考案の便座カバーの裏面は平坦である。これにより便座への被せ状態で、便座カバーの裏面が便座に全体的に接面し、幼児が使用する際、ずれ無いようにすることができる。汚れや傷を防ぐために、裏面にも微細な凹凸を施しても良い。
（第２の実施の形態）
図２（Ａ）及び（Ｂ）には本考案の便座カバーの第２の実施の形態を示しており、同図（Ａ）には便座カバーの平面図とともに、それぞれ破線で示した位置における断面図を示し、同図（Ｂ）は便座カバーの底面図を示す。なお、第１の実施の形態と同様の要素には同一の符号を付し、その説明を省略する。
【００２３】
図示のように、前方部１２、右方部１３、左方部１４（断面図は示していないが、右方部１３と同様である）において、便座カバーの裏面の一部に、窪み部２０が形成されており、この窪み部２０には便座カバーを便座に装着するための面ファスナーが設置される。この面ファスナーによって、便座カバーの便座への装着状態を安定させることができるので、使用時に外れたりすることがなく、幼児がより安全に使用することができる。
【００２４】
図３（Ａ）〜（Ｃ）には本実施の形態に係る便座カバー及び便座の座面に上述の面ファスナーを設置する１態様を示す。図３（Ａ）に示すように、面ファスナー２１のループ面とフック面を張り合わせた状態で便座カバー１１の窪み部２０に嵌め込み、何れかの面、例えばループ面側を両面粘着テープ２２で張り付ける。その状態でフック面側に両面粘着テープ２２を張り付け、図３（Ｂ）に示すように、便座カバー１１を便座２３に被せ設置する。その結果、面ファスナーのフック面が便座２３の座面の所定位置に張り付き、固定される。図３（Ｃ）に示すように、次に便座カバー１１を取り外す際は、面ファスナー２１のフック面とループ面の間で外れ、面ファスナー２１部分で着脱することができる。
【００２５】
窪み部２０は面ファスナー２１のフック面とループ面が接触して張り付く深さであれば、どのような深さでも良い。便座カバーの裏面において、面ファスナー部分を突出させず、便座カバーの裏面をほぼ一様に便座に接面させ、便座カバーをより安定して装着するためには、窪み部２０は面ファスナー２１の厚みと実質的に同一の深さであることが好ましい。
【００２６】
なお、本考案は、上記実施の形態に限られるものでなく、考案の要旨の範囲内で種々の変更が可能である。例えば、便座カバーが便座に安定して装着できる位置と範囲に面ファスナー２１が設置されていれば、上述の窪み部２０が無い形態も可能である。
【図面の簡単な説明】
【００２７】
【図１】本考案の便座カバーの第１の実施の形態を示す、（Ａ）平面図及びそれぞれ破線で示した位置における断面図、（Ｂ）底面図である。
【図２】本考案の便座カバーの第２の実施の形態を示す、（Ａ）平面図及びそれぞれ破線で示した位置における断面図、（Ｂ）底面図である。
【図３】便座カバー及び便座の座面に面ファスナーを設置する１態様を示す概略断面図である。
【符号の説明】
【００２８】
１１  便座カバー
１２  前方部
１３  右方部
１４  左方部
１５  後方部
１６  座面部  
１７  側部
１８  独立気泡構造
１９  凹凸
２０  窪み部
２１  面ファスナー
２２  両面粘着テープ
２３  便座
【図１】
0003143864.tif 000003
【図２】
0003143864.tif 000004
【図３】
0003143864.tif 000005